(57)【要約】【課題】本発明は、冷却装置内におけるスケールの付着、スライムの発生及びレジオネラ菌の発生等を著しく減少することができ、しかも薬剤を使用しないで前記処理を行うため、衛生面でも優れ、地球環境に優しい冷却装置の循環水維持管理装置を提供することを目的とするものである。【解決手段】本発明による冷却装置の循環水維持管理装置は、循環水を貯留する貯留部と、前記貯留部内に注入可能なアルカリイオン水タンク部と、前記貯留部に貯留された循環水中に挿入されるベルトコンベアー型電極装置とを備え、前記ベルトコンベアー型電極装置は、一方側電極を巻回する金属ベルトで形成し、他方側電極を前記巻回する金属ベルトに隣接形成したことを特徴とするものである。【選択図】        図１
2004226039.tif 000002
【特許請求の範囲】
【請求項１】
冷却媒体を循環水に接触させ、空気と前記循環水との接触時に生ずる蒸発潜熱及び前記空気の顕熱とにより冷却を行う冷却装置の維持管理装置であり、
前記循環水を貯留する貯留部と、前記貯留部内に注入可能な、少なくともアルカリイオン水が貯留されたアルカリイオン水タンク部と、前記貯留部に貯留された循環水中に挿入されるベルトコンベアー型電極装置と、を備え、
前記ベルトコンベアー型電極装置は、一方側電極を巻回する金属ベルトで形成し、他方側電極を前記巻回する金属ベルトに隣接形成した、
ことを特徴とする冷却装置の循環水維持管理装置。
【請求項２】
冷却媒体を循環水に接触させ、空気と前記循環水との接触時に生ずる蒸発潜熱及び前記空気の顕熱とにより冷却を行う冷却装置の維持管理装置であり、
前記循環水を貯留する貯留部と、前記貯留部内に注入可能な、少なくともアルカリイオン水が貯留されたアルカリイオン水タンク部と、前記貯留部に貯留された循環水中に挿入されるベルトコンベアー型電極装置と、を備え、
前記ベルトコンベアー型電極装置は、一方側電極を巻回する金属ベルトで形成し、他方側電極を前記巻回する金属ベルトに隣接形成し、
前記貯留部内の循環水からのスケールが付着した金属ベルトから前記スケールを除去する除去装置を形成した、
ことを特徴とする冷却装置の循環水維持管理装置。
【請求項３】
冷却媒体を循環水に接触させ、空気と前記循環水との接触時に生ずる蒸発潜熱及び前記空気の顕熱とにより冷却を行う冷却装置の維持管理装置であり、
前記循環水を貯留する貯留部と、前記貯留部内に注入可能な、少なくともアルカリイオン水が貯留されたアルカリイオン水タンク部と、前記貯留部に貯留された循環水中に挿入される箱型電極装置と、を備え、
前記箱型電極装置は、対向方向に数カ所の係止部を設けた一対の電極保持材と、該電極保持在間に取り付けられた複数枚の板状電極で形成した、
ことを特徴とする冷却装置の循環水維持管理装置。
【発明の詳細な説明】
【０００１】
【発明の属する技術分野】
本発明は、冷却媒体を循環水に接触させ、空気と前記循環水との接触時に生ずる蒸発潜熱及び前記空気の顕熱とにより冷却を行う冷却装置の維持管理装置に関するものである。
【従来の技術】
冷却媒体を循環水に接触させ、空気と前記循環水との接触時に生ずる蒸発潜熱及び前記空気の顕熱とにより冷却を行う冷却装置については、前記循環水を循環させて再利用し、多大な水道料金と下水道料金のコストダウンを図っている。
【０００２】
しかし、当該循環利用される循環水は、絶えず空気と接触することにより空中に浮遊する各種浮遊物が混入するものとなり、長期間の使用によって循環水が汚染されるものとなっていた。
【０００３】
また、前記循環水は蒸発によって所定の水量が少なくなり、それを随時補充しなければならない。そこで、補給水を補充注入することとなるが、前記補給水を補充するごとに蒸発残留物の濃度が濃縮され、前記残留値の値が高くなる等各種の障害がある。
【０００４】
例えば、冷却装置の循環水配管内においてはカルシュウムイオン類によってスケールの生成が認められる。また、冷却装置の熱交換器内においては    シリカイオン類によって閉塞による循環障害、あるいは熱交換器の熱伝播障害をきたし、硫化物イオン類によっては循環流路内の腐食を招来していた。
【０００５】
さらに、スライム（藻）が冷却装置内で生育繁殖し、循環流路内の閉塞を発生せしめていた。そして、循環流路内では前記スライムの死滅腐敗による臭気障害も発生していた。  また、レジネオラ菌類等空気中の菌が冷却装置内に侵入し、循環水中で繁殖することもあり、それが冷却気流に乗り周辺に飛散することで環境悪化を招来することもあった。
【０００６】
しかして、従来より、前記各種の障害に対処するため冷却装置循環水の維持管理が行われていたが、従来より存する冷却装置循環水の維持管理では、主に殺菌を目的とした薬剤の注入と補給水を強制的に補充し、循環水内の蒸発残留物濃度を希釈する方法がとられていたにすぎず、これらの方法では以下に示すような課題がある。
【０００７】
すなわち、薬剤の注入は、レジオネラ菌、スライムの排除対策に効果があるものの、それらの菌を死滅させる強い毒性があり、それはひいては人体にも影響を及ぼすものとなる。
【０００８】
また、蒸発による濃度濃縮防止については薬剤注入では効果がなく、例えば電気伝導率計による計測に基づき、設定濃度以上であれば強制的に補給水を充填して薄め、また、電気伝導率計による自動的な希釈制御を実施しない場合は、定期的に（例えば毎日）何時間か補給水弁を開として補給水の注入を行うものであった。
【０００９】
このように、蒸発による濃度濃縮防止については補給水の強制注入による濃度希釈だけが効果を上げるものであり、近年の節水対策とは逆行し、多大な水道料金と下水道料金を負担するものとなっていた。
ところで、従来ではいわゆる用水中に電極を挿入し、電解エネルギーを外部から印加し、前記用水のエネルギー準位を高めて水の電離を促し、用水の水質改善を行う提案もされている。（例えば、特許文献１参照）。
【００１０】
【特許文献１】
特開平５−２６１３７２号公報  段落＜００１２＞
【発明が解決しようとする課題】
しかしながら、前記従来の冷却装置の循環水維持管理を行う装置は、循環水維持管理を行う上での前述した従来の課題の解決には充分ではなく、なお一層前記従来の課題が解決できる冷却装置の維持管理装置の提供が要請されている。
【００１１】
かくして、本発明はかかる要請に鑑みて創案されたものであり、冷却装置内におけるスケールの付着、スライムの発生及びレジオネラ菌の発生等を著しく減少することができ、しかも薬剤を使用しないで前記処理を行うため、衛生面でも優れ、地球環境に優しい冷却装置の循環水維持管理装置を提供することを目的とするものである。
【課題を解決するための手段】
本発明による冷却装置の循環水維持管理装置は、
冷却媒体を循環水に接触させ、空気と前記循環水との接触時に生ずる蒸発潜熱及び前記空気の顕熱とにより冷却を行う冷却装置の維持管理装置であり、
前記循環水を貯留する貯留部と、前記貯留部内に注入可能な、少なくともアルカリイオン水が貯留されたアルカリイオン水タンク部と、前記貯留部に貯留された循環水中に挿入されるベルトコンベアー型電極装置と、を備え、
前記ベルトコンベアー型電極装置は、一方側電極を巻回する金属ベルトで形成し、他方側電極を前記巻回する金属ベルトに隣接形成した、
ことを特徴とし、
または、
冷却媒体を循環水に接触させ、空気と前記循環水との接触時に生ずる蒸発潜熱及び前記空気の顕熱とにより冷却を行う冷却装置の維持管理装置であり、
前記循環水を貯留する貯留部と、前記貯留部内に注入可能な、少なくともアルカリイオン水が貯留されたアルカリイオン水タンク部と、前記貯留部に貯留された循環水中に挿入されるベルトコンベアー型電極装置と、を備え、
前記ベルトコンベアー型電極装置は、一方側電極を巻回する金属ベルトで形成し、他方側電極を前記巻回する金属ベルトに隣接形成し、
前記貯留部内の循環水からのスケールが付着した金属ベルトから前記スケールを除去する除去装置を形成した、
ことを特徴とし、
または、
冷却媒体を循環水に接触させ、空気と前記循環水との接触時に生ずる蒸発潜熱及び前記空気の顕熱とにより冷却を行う冷却装置の維持管理装置であり、
前記循環水を貯留する貯留部と、前記貯留部内に注入可能な、少なくともアルカリイオン水が貯留されたアルカリイオン水タンク部と、前記貯留部に貯留された循環水中に挿入される箱型電極装置と、を備え、
前記箱型電極装置は、対向方向に数カ所の係止部を設けた一対の電極保持材と、該電極保持在間に取り付けられた複数枚の板状電極で形成した、
ことを特徴とするものである。
【発明の実施の形態】
以下、本発明を図に示す実施例に基づいて説明する。
図１は本発明による冷却装置の循環水維持管理装置の概略を示す説明図である。
【００１２】
図１において示す冷却装置１としては、空調用冷却装置、冷凍倉庫、冷蔵倉庫、コンプレッサー、印刷機械などいわゆる工業生産施設の冷却装置全般を含むものであり、冷却塔２内には冷却媒体である充填接触材３を有し、下方には循環水４が貯留する貯留部５が設けられている。
【００１３】
前記貯留部５に貯留されている循環水４は第１管路６を介して送出され、第２管路７を介して冷却塔２の上方から充填接触材３に接触される。
【００１４】
充填接触材３に接触した循環水４はそのまま冷却塔２の下方に設けられた貯留部５に降下して貯留される。
【００１５】
符号８はいわゆる浮袋からなる水面位置センサであり、該水面位置センサ８で検知された水面位置に従って補給水１７が補給される。
【００１６】
また、符号９は電気伝導率計を示し、該電気伝導率計９が貯留部５の循環水４内に挿入されて、常時循環水４の電気伝導率、すなわち換言すればスケール成分の濃縮値を検知している。
【００１７】
符号１０はアルカリイオン水タンクであり、このアルカリイオン水タンク１０から例えばｐｈ８ないしｐｈ１４のアルカリイオン水１８が前記貯留部５内の循環水４に付加される。なお、前記アルカリイオン水１８のほか例えば電気分解水、薬液などを入れ、アルカリ性の水あるいはアルカリ自然水としても構わない。
【００１８】
符号１１はメータを示し、該メータ１１により前記アルカリイオン水付加のタイミング、補給水量付加のタイミング及び貯留部３に貯留された循環水４の排水タイミングが計られる。
【００１９】
循環水４の排水は排水管路１２によって行われ、前記メータ１１による指示の場合と共に、貯留部５のオーバーフロー分についても排水管路１２により排水される様構成されている。
【００２０】
符号１９は冷却塔２の上部に設けられたファンを示し、該ファン１９は、充填接触材３と循環水４とが接触すると共に、空気と前記循環水４とが接触するときに生ずる蒸発潜熱及び前記空気の顕熱を外部へ放出する構成とされている。
【００２１】
ここで、貯留部５内には図１から理解されるように、ベルトコンベアー型電極装置１３が挿入され、その一端側が循環水４内に浸されている。
【００２２】
ベルトコンベアー型電極装置１３は例えば陰極１４につき、ベルトコンベアーを巻回する金属ベルトで形成し、該金属ベルトで形成した陰極１４に対し若干の間隔をあけ平行に隣接して陽極１５が形成されている。
【００２３】
ここで、前記陰極１４及び陽極１５に直流電流を通電する。この際、陰極１４である金属ベルトはベルトコンベアーによって回転している。しかして、この回転数は自在にコントロールできるように構成されており、循環水４の状況、例えば蒸発残留物の残留濃度により回転数が制御される。
【００２４】
また、前記電極１４，１５への通電電流は、例えば数マイクロアンペア／センチ平方メートルから数アンペア／センチ平方メートルの範囲で変更でき、これについてもやはり循環水４の状況が考慮される。
【００２５】
なお、図３乃至図６に、箱形電極装置２０及びその設置状態の具体例を示す。
【００２６】
箱型電極２０は一対の樹脂製電極保持材２１，２１を備え、該電極保持材２１には各々対向する面に電極取り付け用の係止部２２を有している。
【００２７】
ここでは３カ所の係止部２２が設けられ、３つの板状をなすＳＵＳ製電極が取り付けられている。そのうち、中央部に設置される電極は陽極１５とされ、間隔をあけて両側はそれぞれ陰極１６，１６とされている。
【００２８】
このように構成された箱形電極装置２０は、図に示すように貯留部５内に浸されて使用される。
【００２９】
本実施例では箱形電極装置２０を３枚の電極で構成したが、水質により枚数を変えたり、ユニット数を増減したりすることが出来る。さらに、箱形電極装置２０に通電する電流値及び電圧値についても状況に応じ、水質に応じて調整できるように構成されている。
【００３０】
なお、当該箱形電極装置２０は、図６に示すいわゆる対向流型冷却塔にも使用できるし、図７，図８に示すように、直交流型冷却塔にも使用することが出来る。
【００３１】
しかして、このような構成による処理作業により、前記循環水４は、水質の改善がなされることとなる。
【００３２】
さらに、前記陰極１４である巻回する金属ベルトの表面にはスケール成分が付着するものとなり、該スケール成分は、前記金属ベルトの外側端部近傍位置に設けられた除去装置１６により除去され、金属ベルトからスケール成分が取り除かれる。
【００３３】
この除去装置１６の構成については何ら限定されるものではないが、前記金属ベルトの表面をブラシでブラッシング出来るような構成のものが考えられる。
【発明の効果】
かくして本発明は以上の構成よりなる。
【００３４】
そして、本発明による冷却装置の維持管理装置であれば、冷却装置内におけるスケールの付着、スライムの発生及びレジオネラ菌の発生等を著しく減少することができ、しかも薬剤を使用しないで前記処理を行うため、衛生面でも優れ、地球環境に優しい冷却装置の循環水維持管理装置が提供できる。
【図面の簡単な説明】
【図１】本発明による冷却装置の循環水維持管理装置の概略構成を示す概略構成説明図である。
【図２】従来における冷却装置の循環水維持管理装置の概略構成を示す概略構成説明図である。
【図３】本発明による箱形電極装置の概略構成説明図（その１）である。
【図４】本発明による箱形電極装置の概略構成説明図（その２）である。
【図５】本発明による箱形電極装置の概略構成説明図（その３）である。
【図６】本発明による箱形電極装置の設置状態を説明する説明図（その１）である。
【図７】本発明による箱形電極装置の設置状態を説明する説明図（その２）である。
【図８】本発明による箱形電極装置の設置状態を説明する説明図（その３）である。
【符号の説明】
１        冷却装置
２        冷却塔
３        充填接触剤
４        循環水
５        貯留部
６        第１管路
７        第２管路
８        水面位置センサ
９        電気伝導率計
１０      アルカリイオン水タンク
１１      メータ
１２      排水管路
１３      ベルトコンベアー型電極装置
１４      陰極
１５      陽極
１６      除去装置
１７      補強水
１８      アルカリイオン水
１９      ファン
２０      箱形電極装置
２１      電極保持材
２２      係止部
【図１】
2004226039.tif 000003
【図２】
2004226039.tif 000004
【図３】
2004226039.tif 000005
【図４】
2004226039.tif 000006
【図５】
2004226039.tif 000007
【図６】
2004226039.tif 000008
【図７】
2004226039.tif 000009
【図８】
2004226039.tif 000010